(57)【要約】      （修正有）【課題】簡易な構造で、容易に幅木の端部同士を連結できる幅木ジョイント及び幅木フックを提供する。【解決手段】足場に略垂直に配置される幅木の端部に固定され、幅木同士を接続する幅木ジョイント１であって、前記幅木の端部に固定される固定部及び幅木から突出する突出部よりなるプレート２と、前記プレートの固定部及び突出部の境界に垂設された第２固定部とからなる幅木ジョイントの構成とした。また幅木に当接する左右垂下部と、前記左右垂下部に略直角に連設する左右水平部と、前記左右水平部から下方に屈曲して前記左右水平部と連結するＵ字部とからなり、幅木を仮設足場の支柱に立て掛け、支柱をＵ字部内に、左右水平部下に幅木を位置させ、左右垂下部で幅木を支柱に押し当てて幅木を支柱に係止する幅木フックの構成、さらに前記幅木フックの前記左右水平部及びＵ字部を移動可能に挿通された管とからなる兼用幅木フックの構成とした。【選択図】図５
0003153066.tif 000002
【実用新案登録請求の範囲】
【請求項１】
仮設足場の足場板の側部に略垂直に配置される幅木の端部に固定され、幅木同士を接続する幅木ジョイントであって、前記幅木の端部に固定される固定部及び幅木から突出する突出部よりなるプレートと、前記プレートの固定部及び突出部の境界に垂設された第２固定部と、からなることを特徴とする幅木ジョイント。
【請求項２】
前記固定部及び前記第２固定部の上下２箇所に孔を穿設し、ボルト又はネジにより幅木に固定されることを特徴とする請求項１に記載の幅木ジョイント。
【請求項３】
前記第２固定部が、前記プレートに一端を残し切り取られ、折曲げて作られることを特徴とする請求項１又は請求項２に記載の幅木ジョイント。
【請求項４】
請求項１〜請求項３の何れか１項に記載の幅木ジョイントが、幅木の左右端部の何れかに固定されたことを特徴とする幅木。
【請求項５】
請求項１〜請求項３の何れか１項に記載の幅木ジョイントが、幅木の左右端部に、前記プレートがそれぞれ幅木の前後面互い違いに位置して固定されたことを特徴とする幅木。
【請求項６】
前記幅木が、木製であることを特徴とする請求項１〜請求項５の何れか１項に記載の
幅木。
【請求項７】
仮設足場の足場板の側部に略垂直に配置される幅木を仮設足場の支柱に係止する幅木フックであって、
前記幅木に当接する左右垂下部と、前記左右垂下部に略直角に連設する左右水平部と、前記左右水平部から下方に屈曲して前記左右水平部と連結するＵ字部とからなり、
幅木を仮設足場の支柱に立て掛け、支柱をＵ字部内に、左右水平部下に幅木を位置させ、左右垂下部で幅木を支柱に押し当てて幅木を支柱に係止することを特徴とする幅木フック。
【請求項８】
請求項７に記載の幅木フックと、前記左右水平部及びＵ字部を移動可能に挿通された管と、からなることを特徴とする兼用幅木フック。
【請求項９】
請求項１〜請求項３の何れかに記載の幅木ジョイントで仮設足場側部に幅木を連設すると共に、請求項７に記載の幅木フック又は請求項８に記載の兼用幅木フックを用いて幅木を仮設足場の支柱に固定したことを特徴とする建設用仮設足場。
【考案の詳細な説明】
【技術分野】
【０００１】
本考案は、建築現場などで使用される組立式の仮設足場において、足場板の一方又は両側部に取り付けられる幅木を足場板方向（横方向）に連結（ジョイント）する幅木ジョイントと、幅木を支柱に係止する幅木フックとに関する。
【背景技術】
【０００２】
幅木とは、建築現場などの仮設足場に用いられる足場板と同一或いは金属製又は木製の板を足場板の側部に略垂直に立て掛け、仮設足場の支柱に固定されるものであり、作業者、資材、工具などの脱落を防止し、工事の安全を確保するものである。
【０００３】
幅木の端部同士の足場板方向（横方向）のジョイントは、一般に、幅木の端部同士を重ね合わせ、針金など番線で幅木の端部同士を結束していたに過ぎない。簡易な構造で、且つ容易に幅木の端部同士の足場板方向（横方向）のジョイントする連結具等は実用化されていない。
【０００４】
他方、従来から幅木の支柱への固定は、一般的には、針金など番線で幅木を支柱に括り付け、結束していた。そのため足場の組み立て、解体が煩雑で、手間を要していた。そこで、特許文献１に示すフックによって支柱に幅木を固定する考案が提案されている。
【０００５】
特許文献１に記載の考案である足場における幅木止めクリップ金具は、一側面が支柱外面に当接するこまと、このこまに取り付けてあり、両腕部の先端に幅木を掛止め可能のフックを設けてあるクリップとを具備することを特徴とするものである（請求項１）。また、こまに対するクリップの取付板が、こまの一側面又は他側面の何れかに一方の側面寄りとするものである（請求項２）。特に、請求項２の構成であれば、異なる径の支柱に対しても対応できるというものである（第３項最下段）。
【先行技術文献】
【特許文献】
【０００６】
【特許文献１】実開昭５８−１４８１３０号公報
【考案の概要】
【考案が解決しようとする課題】
【０００７】
従来のように、番線などを使用して、幅木同士の連結すること、幅木を足場の支柱に結束し、仮設足場を組み立てること、また解体することは煩雑であった。
【０００８】
そこで、本考案は、簡易な構造で、容易に幅木の端部同士を連結できる新規な幅木ジョイント及び特許文献１とは異なる新たな幅木フックを提供することを目的とするものである。
【課題を解決するための手段】
【０００９】
本考案は、上記の課題を解決するために、仮設足場の足場板の側部に略垂直に配置される幅木の端部に固定され、幅木同士を接続する幅木ジョイントであって、前記幅木の端部に固定される固定部及び幅木から突出する突出部よりなるプレートと、前記プレートの固定部及び突出部の境界に垂設された第２固定部と、からなることを特徴とする幅木ジョイントの構成、前記固定部及び前記第２固定部の上下２箇所に孔を穿設し、ボルト又はネジにより幅木に固定されることを特徴とする前記幅木ジョイントの構成、前記第２固定部が、前記プレートに一端を残し切り取られ、折曲げて作られることを特徴とする前記何れかに記載の幅木ジョイントの構成とした。
【００１０】
前記何れかに記載の幅木ジョイントが、幅木の左右端部の何れかに固定されたことを特徴とする幅木の構成、或いは前記何れかに記載の幅木ジョイントが、幅木の左右端部に、前記プレートがそれぞれ幅木の前後面互い違いに位置して固定されたことを特徴とする幅木の構成、前記幅木が、木製であることを特徴とする前記何れかに記載の幅木の構成とした。
【００１１】
仮設足場の足場板の側部に略垂直に配置される幅木を仮設足場の支柱に係止する幅木フックであって、前記幅木に当接する左右垂下部と、前記左右垂下部に略直角に連設する左右水平部と、前記左右水平部から下方に屈曲して前記左右水平部と連結するＵ字部とからなり、幅木を仮設足場の支柱に立て掛け、支柱をＵ字部内に、左右水平部下に幅木を位置させ、左右垂下部で幅木を支柱に押し当てて幅木を支柱に係止することを特徴とする幅木フックの構成とした。
【００１２】
前記幅木フックと、前記左右水平部及びＵ字部を移動可能に挿通された管と、からなることを特徴とする兼用幅木フックの構成、前記何れかに記載の幅木ジョイントで仮設足場側部に幅木を連設すると共に、前記幅木フック又は兼用幅木フックを用いて幅木を仮設足場の支柱に固定したことを特徴とする建設用仮設足場の構成とした。
【考案の効果】
【００１３】
本考案である幅木ジョイントは、上記構成であるから、簡易かつ低コストで製造でき、幅木に簡易かつ強固に固定でき、また容易に幅木同士を横方向に連結、固定することができ、仮設足場の解体も容易になる。また仮設足場の安全性が格段に向上する。
【００１４】
本考案である幅木フックは、上記構成であるので、簡易かつ低コストで製造でき、番線による結束に比べ、格段に容易に幅木を支柱に固定でき、解体も煩雑でない。また仮設足場の安全性も格段に向上する。
【００１５】
兼用幅木フックは、前記効果に加えて、上記構成であるので、管の移動により異なる支柱の径にも１つの兼用幅木フックで対応でき、かつ収納に場所を取らない。
【図面の簡単な説明】
【００１６】
【図１】本考案である幅木ジョイントの正面図である。
【図２】本考案である幅木ジョイントの背面図である。
【図３】本考案である幅木ジョイントの左側面図（Ａ）、右側面図（Ｂ）である。
【図４】本考案である幅木ジョイントの平面図（Ａ）、底面図（Ｂ）である。
【図５】本考案である幅木ジョイントを木製幅木に適用したときの幅木の使用状態を示す図である。
【図６】本考案である幅木ジョイントを金属製幅木に適用したときの幅木の使用状態を示す図である。
【図７】本考案である兼用幅木フックの正面図である。
【図８】本考案である兼用幅木フックの背面図である
【図９】本考案である兼用幅木フックの左右側面図である。
【図１０】本考案である兼用幅木フックの平面図、底面図である。
【図１１】本考案である兼用幅木フックの使用状態（大径支柱）を示す左側面図である。
【図１２】本考案である兼用幅木フックの使用状態（小径支柱）を示す左側面図である。
【図１３】本考案である兼用幅木フックの使用状態（小径支柱）を示す拡大平面透視図である。
【考案を実施するための形態】
【００１７】
以下に、添付図面に基づいて、本考案である幅木ジョイント、幅木フック及び兼用幅木フックについて詳細に説明する。
【実施例１】
【００１８】
先ず、図１〜図６を参照しながら本考案である幅木ジョイントについて説明する。本考案である幅木ジョイント１は、仮設足場の足場板の側部に略垂直に配置される幅木の端部に固定される固定部２ａ及び幅木から突出する突出部２ｂよりなるプレート２と、プレート２の固定部２ａ及び突出部２ｂの境界に垂設された第２固定部３とからなり、幅木同士の接続部材として利用する。図１において、二点鎖線で示した左部分が突出部２ｂで、右部分が固定部２ａである。
【００１９】
プレート２は、連結の強度を維持すれば、特にその素材は限定されない。防さび、耐久性、軽量性からステンレスが好適である。その形状は、ここで示すように、正面略四角形でなくとも、幅木に固定される部分（固定部）と、幅木から突出し、隣接する幅木を隣接する幅木の幅木ジョイントとで挟み込む形状（突出部）であれば、特に限定されない。
【００２０】
第２固定部３は、プレート２に垂設されるが、プレート２と同様の素材で、別の板を溶接などで接続してもよいが、図１〜図６に示すように、プレート２に一端を残し、切り取られ、略垂直に折曲げて成形すると、軽量かつ低コストで幅木ジョイント１が得られる。
【００２１】
第２固定部３の切り取り形状は、図１、２ではプレート２の略中央の残し、他の三辺を長方形状に切断し、長孔２ｄを形成するように長方形状とした。但し、第２固定部３が、幅木側面に固定され、固定部２ａを幅木正面又は背面に固定できれば、図１、２に示す形状に限定されるものではない。
【００２２】
なお、参考までに、幅木ジョイントの好適な長さ（ｍｍ）を図中に記載した。表示された値（ｍｍ）は、その近傍の黒塗りドットを結ぶ一点鎖線の長さ意味する。実施例２においても同じ。
【００２３】
幅木ジョイントの好適な一例は、縦１５３ｍｍ、横１２０ｍｍの略長方形で、一方の隅を切欠き（各辺５ｍｍ）、一側方部に孔２ｃ（直径６ｍｍ）を２箇所設ける。なお固定部２ａ、突出部２ｂはそれぞれ６０ｍｍとした。
【００２４】
さらに中央部に、横２４ｍｍ、縦１００ｍｍ、厚さ２．９ｍｍとして、一辺をプレート２に残し第２固定部３がプレート２の略中央（二点鎖線）に垂設されるように切り込む。さらに第２固定部３にも、第２固定部３の端に２箇所孔３ａ（直径６ｍｍ）を設けるとよい。
【００２５】
本考案の幅木ジョイント１は、幅木端部に、溶接、ビス、ネジ、ボルトナットなどで固定される。幅木が金属製のときは溶接、ボルトナットによる固定が好適で、幅木が木製のときはビス、ネジが好適である。
【００２６】
本考案である幅木ジョイントは、幅木に固定されて使用されるため、予め図１，２に示すように、固定部２ａの上下２箇所の孔２ｃと、第２固定部３の上下２箇所の孔３ｃを穿設しておくとよい。それにより幅木ジョイント１は、ボルト、ネジ等により幅木に容易に固定される。
【００２７】
また、図１、２に示すように、突出部２ｂの隅を切り取り切欠き２ｅを形成すると、幅木ジョイント１の取り付け方向が容易に把握でき、幅木への誤固定を防止できる。
【００２８】
このようにしてなる幅木ジョイント１は、図５、図６に示すように、幅木に固定され、仮設足場の幅木として利用できる。幅木ジョイント１は、建設現場で幅木に固定しても、予め別の場所で幅木に固定あるいは常時固定しておいてもよいが、仮設足場の組み立て、解体時間の短縮のため、予め幅木に固定しておくことが好ましい。
【００２９】
図５は本考案である幅木ジョイントを木製幅木４に適用したときの幅木の使用状態を示す図である。図５（Ａ）は幅木ジョイントの正面からの図、（Ｂ）は幅木ジョイントの平面からの図、（Ｃ）は図５（Ａ）のＡ−Ａ断面図である。
【００３０】
図５に示すように、幅木ジョイント１は、孔２ｃ、３ｃ位置で、木製幅木４にネジ５を用いて固定される。本考案である幅木ジョイントを適用した幅木を用いることで、建設現場等の仮設足場で、木製幅木４（（Ｂ）図左）に予め固定した幅木ジョイント１（（Ｂ）図左）と、木製幅木４（（Ｂ）図右）に予め固定した幅木ジョイント１（（Ｂ）図右）とで、即ち正面、背面互い違いに幅木端部に予め固定された幅木ジョイント１、１でそれぞれ木製幅木４、４を挟み横方向に接続することができる。
【００３１】
従って、横方向に接続される幅木において、両端部は一端のみに幅木ジョイント１を固定した幅木を使用し、両端部以外の中間部の幅木には両端部に幅木ジョイント１を正面、背面それぞれ互い違いに固定する。それにより、幅木ジョイント１を固定した幅木を、仮設足場の設置場所で、容易に横方向に連続して接続できる。また、解体も容易になる。
【００３２】
他方、図６は本考案である幅木ジョイントを金属製幅木６に適用したときの幅木の使用状態を示す図である。図６（Ａ）は幅木ジョイントの正面からの図、（Ｂ）は幅木ジョイントの平面からの図、（Ｃ）は図６（Ａ）のＡ−Ａ断面図である。
【００３３】
幅木ジョイント１を固定した金属製幅木６は、木製幅木４と同様に使用される。但し、幅木ジョイント１の金属製幅木６への固定には、ネジを使用し難いため、例えば図６に示すように、一般に流通、使用されている足場板としても使用される金属製幅木６の場合には、金属製幅木６に予め軽量化のために穿設されている孔６ａ、孔６ｂなどを使用してボルト７、ナット７ａで固定（（Ｂ）図正面側）する。また、（Ｂ）図背面側では、幅木ジョイント１を金属製幅木６に溶接で固定するとよい。
【実施例２】
【００３４】
次に、図７〜図１３を参照しながら幅木フック及び兼用幅木フックについて説明する。本考案である幅木フック９は、図７〜１０の各図に示したように、幅木に当接する左右垂下部９ａ、９ｂと、左右垂下部９ａ、９ｂに略直角に連設する左右水平部９ｃ、９ｄと、左右水平部９ｃ、９ｄから下方に屈曲して連結するＵ字部９ｅとからなる。
【００３５】
そして、次のようにして使用される。先ず、幅木を仮設足場の支柱に立て掛け、Ｕ字部内９ｅに支柱を位置させ、次に左右水平部９ｃ、９ｄ下に幅木を位置させ、左右垂下部９ａ、９ｂで幅木を支柱に押し当てて幅木を支柱に係止する。これにより、仮設足場の足場板の側部に略垂直に配置される幅木を仮設足場の支柱に固定することができる。
【００３６】
本考案である兼用幅木フック８は、前記幅木フック９と、左右水平部９ｃ、９ｄ及びＵ字部９ｅを移動可能に挿通された管１０とからなる。
【００３７】
管１０を左右水平部９ｃ、９ｄとＵ字部９ｅを移動させることにより、異なる支柱径であっても１つの兼用幅木フック８で、幅木を上述のように、支柱に固定することができる。
【００３８】
本考案の兼用幅木フック８は、丸鋼に管１０を挿通させ、折曲げで加工できる。建設現場では、支柱（パイプ）は一般に、４８．６ｍｍ径の支柱（大径）と４２．７ｍｍ径の支柱（小径）が使用されている。従って、兼用幅木フック８は、図８、９、１１、１２、１３に例示したように、９ｍｍ径の丸鋼を使用した場合には次のような長さ、形状にするとよい。次の数値は、幅木の厚みを３０ｍｍとした場合についての好適な値である。
【００３９】
左右垂下部９ａ、９ｂは１４０ｍｍ前後（±５ｍｍ）、左右水平部９ｃ、９ｄは約３０ｍｍとする。管１０は、左右水平部９ｃ、９ｄにも位置できるよう長さ２８ｍｍ、外径２１．７ｍｍ、厚み１．９ｍｍとすると好適である。
【００４０】
左右水平部の内側間は５０ｍｍ、左右水平部の端部からＵ字部９ｅの弧状の先端部の距離は６８ｍｍとしてＵ字部９ｅの弧を形成する。その結果、９ｍｍの丸鋼を使用した場合、左右垂下部９ａ、９ｂの外側間は６８ｍｍとなる。
【００４１】
また、左右垂下部９ａ、９ｂと左右水平部の内角は約９０°、左右水平部とＵ字部９ｅの屈折内角は約１４１°とするとよい。
【００４２】
次に、図１１〜１３を参照し、兼用幅木フック８の使用方法について詳しく説明する。図１１は本考案である兼用幅木フックの使用状態（大径支柱）、図１２は小径支柱の場合の兼用幅木フックに対する左側面図、図１３は小径支柱の場合の拡大平面透視図を示す。
【００４３】
先ず、支柱が大径の場合には、例えば直径４８．６ｍｍで、幅木１４が３０ｍｍの場合、管１０を左右水平部９ｃ、９ｃに位置させ、兼用幅木フック８のＵ字部９ｅ内部側に支柱１１をホールドし、左右水平部９ｃ、９ｄ下部に、幅木１４を位置させ、左右垂下部９ａ、９ｂを幅木１４に当接させ、幅木１４を支柱１１に押し当て係止する。
【００４４】
支柱１１と幅木１４までの距離は、７８．６ｍｍとなり、本考案である兼用幅木フック８が、前述の形状例であれば、良好にＵ字部９ｅ内部に支柱１１を保持することができる。
【００４５】
このようにして、幅木を足場に組み立てられたパイプ１２の上に固定等された足場板１３の側部に略垂直に配置させる。このようにして本考案の兼用幅木フックを使用すると、従来の番線などの係止に比べ格段設置が容易で、安全性が高い。
【００４６】
次に、図支柱１１が直径４２．７ｍｍの小径である場合には、管１０をＵ字部９ｅ先端部に位置させた状態で、前述の大径支柱１１の場合と同様に、支柱１１をＵ字部９ｅで保持する。
【００４７】
この場合、支柱１１と幅木１４までの距離は、７２．６ｍｍとなり、管１０の補正により、本考案である兼用幅木フック８が、前述の形状例であれば、うまくＵ字部９ｅ内部に支柱１１を保持することができる。
【００４８】
図１３の拡大図に示すように、管１０は、Ｕ字部９ｅの内側面と管１０の内部両端でＵ字部内の遊びスペースを埋め、Ｕ字部９ｅと管１０によって、直径４２．７ｍｍの小径支柱１１を保持する。兼用幅木フック８は、幅木１４を３０ｍｍとした場合には、幅木１４端部から左右垂下部外側部までの距離は３９ｍｍ、そして幅木１４の他端（左右水平部９ｃ、９ｄの末端部）からＵ字部９ｅ弧状先端まで、平面視５７．６ｍｍとなる。
【産業上の利用可能性】
【００４９】
本考案である幅木ジョイント及び幅木フックは、上記構成であるので建築現場の足場の組み立て、解体において手間を要さず、かつ安全に組み立てられるので建築業界に大きく貢献する。足場の組み立てに、幅木ジョイントと幅木フック又は／及び兼用幅木フックを併用すると組み立て、解体効率が極めて向上する。
【符号の説明】
【００５０】
１      幅木ジョイント
２      プレート
２ａ    固定部
２ｂ    突出部
２ｃ    孔
２ｄ    長孔
２ｅ    切欠き
３      第２固定部
３ａ    孔
４      木製幅木
５      ネジ
６      金属製幅木
６ａ    孔
６ｂ    孔
７      ボルト
７ａ    ナット
８      兼用幅木フック
９      幅木フック
９ａ    左垂下部
９ｂ    右垂下部
９ｃ    左水平部
９ｄ    右水平部
９ｅ    Ｕ字部
１０    管
１１    支柱
１２    パイプ
１３    足場板
１４    幅木
【図１】
0003153066.tif 000003
【図２】
0003153066.tif 000004
【図３】
0003153066.tif 000005
【図４】
0003153066.tif 000006
【図５】
0003153066.tif 000007
【図６】
0003153066.tif 000008
【図７】
0003153066.tif 000009
【図８】
0003153066.tif 000010
【図９】
0003153066.tif 000011
【図１０】
0003153066.tif 000012
【図１１】
0003153066.tif 000013
【図１２】
0003153066.tif 000014
【図１３】
0003153066.tif 000015